(57)【要約】【課題】遊技球の動きを今までにない派手な動きをさせるようにして、遊技者が遊技球の動きに注目し、遊技の趣向性を高めることができる弾球遊技機を提供する。【解決手段】遊技球が流下する遊技領域が設けられた遊技盤面を有する遊技盤と、前記遊技盤面に対して略垂直方向に設けられ前記遊技領域を流下する遊技球を受け入れた後に遊技球を往復揺動させる球転動面６５と、前記球転動面６５に遊技球を所定の場所に誘導する球誘導路への入球口６６を設けた弾球遊技機において、前記球転動面６５を転動する遊技球Ｐがその勢いによって前記入球口６６を飛び越えることができる飛び越し台７０を設けた弾球遊技機。【選択図】　　　　図６
2004105624.tif 000002
【特許請求の範囲】
【請求項１】
遊技球が流下する遊技領域が設けられた遊技盤面を有する遊技盤と、
前記遊技盤面に対して略垂直方向に設けられ前記遊技領域を流下する遊技球を受け入れた後に遊技球を往復揺動させる球転動面と、
前記球転動面に遊技球を所定の場所に誘導する球誘導路への入球口を設けた弾球遊技機において、
前記球転動面を転動する遊技球がその勢いによって前記入球口を飛び越えることができる飛び越し台を設けたことを特徴とする弾球遊技機。
【請求項２】
前記球転動面の入球口側の先端縁部に遊技球の進路を上方へ変化させるそり返し片を設けたことを特徴とする請求項１に記載の弾球遊技機。
【請求項３】
前記球転動面が第一の球転動面と、該第一の球転動面から前記入球口を飛び越した遊技球が着地する第二の球転動面とからなることを特徴とする請求項１または２に記載の弾球遊技機。
【請求項４】
前記第一の球転動面の長さが前記第二の球転動面の長さより長いことを特徴とする請求項３に記載の弾球遊技機。
【請求項５】
前記第一の球転動面の入球口側の先端縁部が、前記第二の球転動面の入球口側の先端縁部より高いことを特徴とする請求項３または４に記載の弾球遊技機。
【請求項６】
前記第一の球転動面の入球口側とは反対側の縁部へ遊技球を送り出す球転動面誘導路が設けられ、前記球転動面誘導路は遊技球を略垂直に誘導する垂直誘導路を有することを特徴とする請求項３ないし５のいずれか１項に記載の弾球遊技機。
【請求項７】
前記球誘導路により誘導された遊技球が再び前記遊技盤面上の遊技領域を流下することを特徴とする請求項１ないし６のいずれか１項に記載の弾球遊技機。
【請求項８】
前記遊技領域に、遊技球が入賞することにより遊技者に特典を与える入賞口を設け、前記球誘導路により遊技球が前記入賞口の直上に誘導されることを特徴とする請求項１ないし７のいずれか１項に記載の弾球遊技機。
【請求項９】
前記第一の球転動面と第二の球転動面の下方に、少なくとも遊技球を往復揺動させる第三の球転動面が設けられていることを特徴とする請求項３ないし８のいずれか１項に記載の弾球遊技機。
【請求項１０】
前記第三の球転動面が、少なくとも前記第一の球転動面または前記第二の球転動面と連通するように設けられていることを特徴とする請求項９に記載の弾球遊技機。
【請求項１１】
前記第三の球転動面が前記球誘導路の一部を構成することを特徴とする請求項９または１０に記載の弾球遊技機。
【請求項１２】
前記遊技領域に図柄を変動表示する画像表示部が設けられ、前記第一ないし第三の球転動面が前記画像表示部の下方近傍に設けられていることを特徴とする請求項３ないし１１のいずれか１項に記載の弾球遊技機。
【請求項１３】
前記球誘導路によって誘導されている遊技球が視認可能であることを特徴とする請求項１ないし１２のいずれか１項に記載の弾球遊技機。
【請求項１４】
前記球誘導路が前記第一の球転動面の直下に設けられていることを特徴とする請求項３ないし１３のいずれか１項に記載の弾球遊技機。
【発明の詳細な説明】
【０００１】
【発明の属する技術分野】
この発明は、パチンコ遊技機等の弾球遊技機に関する。
【０００２】
【従来の技術】
従来のパチンコ遊技機等の弾球遊技機においては、発射装置によって発射された遊技球が流下する遊技領域を備えた遊技盤が設けられている。そして、この遊技盤には、遊技領域を流下する遊技球を受け入れた後に該遊技球を揺動させ、その後前記遊技球を遊技盤面上に排出するステージ部が設けられている（例えば、特許文献１参照。）。
【０００３】
【特許文献１】
特開２００１−１４９５４６号公報　（第１−７頁，１１―１５頁、第２図，第６−１２図）
【０００４】
なお、この種の弾球遊技機においては、単に遊技球が遊技領域を流下するだけではなく、遊技者が前記ステージ部での遊技球の揺動を視覚を通じて楽しむことができる。
【０００５】
しかしながら、従来の弾球遊技機においては、前記ステージ部での遊技球は左右に揺動する平面的な動きをするものがほとんどであり、前記遊技球の動きは極めて単調なものが多かった。
【０００６】
そこで、遊技球の動きを今までにない派手な動きをさせるようにすれば、遊技者が遊技球の動きに注目し、遊技の趣向性を高めることができる。
【０００７】
【発明が解決しようとする課題】
この発明は、このような状況に鑑み提案されたもので、遊技球の動きを今までにない派手な動きをさせるようにして、遊技者が遊技球の動きに注目し、遊技の趣向性を高めることができる弾球遊技機を提供する。
【０００８】
【課題を解決するための手段】
すなわち、請求項１の発明は、遊技球が流下する遊技領域が設けられた遊技盤面を有する遊技盤と、前記遊技盤面に対して略垂直方向に設けられ前記遊技領域を流下する遊技球を受け入れた後に遊技球を往復揺動させる球転動面と、前記球転動面に遊技球を所定の場所に誘導する球誘導路への入球口を設けた弾球遊技機において、前記球転動面を転動する遊技球がその勢いによって前記入球口を飛び越えることができる飛び越し台を設けたことを特徴とする弾球遊技機に係る。
【０００９】
請求項２の発明は、請求項１において、前記球転動面の入球口側の先端縁部に遊技球の進路を上方へ変化させるそり返し片を設けたことを特徴とする弾球遊技機に係る。
【００１０】
請求項３の発明は、請求項１または２において、前記球転動面が第一の球転動面と、該第一の球転動面から前記入球口を飛び越した遊技球が着地する第二の球転動面とからなることを特徴とする弾球遊技機に係る。
【００１１】
請求項４の発明は、請求項３において、前記第一の球転動面の長さが前記第二の球転動面の長さより長いことを特徴とする弾球遊技機に係る。
【００１２】
請求項５の発明は、請求項３または４において、前記第一の球転動面の入球口側の先端縁部が、前記第二の球転動面の入球口側の先端縁部より高いことを特徴とする弾球遊技機に係る。
【００１３】
請求項６の発明は、請求項３ないし５のいずれか１項において、前記第一の球転動面の入球口側とは反対側の縁部へ遊技球を送り出す球転動面誘導路が設けられ、前記球転動面誘導路は遊技球を略垂直に誘導する垂直誘導路を有することを特徴とする弾球遊技機に係る。
【００１４】
請求項７の発明は、請求項１ないし６のいずれか１項において、前記球誘導路により誘導された遊技球が再び前記遊技盤面上の遊技領域を流下することを特徴とする弾球遊技機に係る。
【００１５】
請求項８の発明は、請求項１ないし７のいずれか１項において、前記遊技領域に、遊技球が入賞することにより遊技者に特典を与える入賞口を設け、前記球誘導路により遊技球が前記入賞口の直上に誘導されることを特徴とする弾球遊技機に係る。
【００１６】
請求項９の発明は、請求項３ないし８のいずれか１項において、前記第一の球転動面と第二の球転動面の下方に、少なくとも遊技球を往復揺動させる第三の球転動面が設けられていることを特徴とする弾球遊技機に係る。
【００１７】
請求項１０の発明は、請求項９において、前記第三の球転動面が、少なくとも前記第一の球転動面または前記第二の球転動面と連通するように設けられていることを特徴とする弾球遊技機に係る。
【００１８】
請求項１１の発明は、請求項９または１０において、前記第三の球転動面が前記球誘導路の一部を構成することを特徴とする弾球遊技機に係る。
【００１９】
請求項１２の発明は、請求項３ないし１１のいずれか１項において、前記遊技領域に図柄を変動表示する画像表示部が設けられ、前記第一ないし第三の球転動面が前記画像表示部の下方近傍に設けられていることを特徴とする弾球遊技機に係る。
【００２０】
請求項１３の発明は、請求項１ないし１２のいずれか１項において、前記球誘導路によって誘導されている遊技球が視認可能であることを特徴とする弾球遊技機に係る。
【００２１】
請求項１４の発明は、請求項３ないし１３のいずれか１項において、前記球誘導路が前記第一の球転動面の直下に設けられていることを特徴とする弾球遊技機に係る。
【００２２】
【発明の実施の形態】
以下添付の図面に基づきこの発明の好適な実施形態を説明する。
図１は本発明の一実施例に係る弾球遊技機全体の正面図、図２は同遊技機の遊技盤の正面図、図３は同遊技機の表示装置の部分拡大斜視図、図４は同遊技機の球転動面の斜視図、図５は同球転動面形成部の表側正面図および裏側正面図、図６は同球転動面における遊技球の転動の様子を示す図、である。
【００２３】
図１および図２に示す弾球遊技機１は、枠体２の内側に遊技盤３が着脱交換可能に収容されており、その遊技盤３に遊技球の外側誘導レール４および内側誘導レール５が略円形に立設され、前記外側誘導レール４と内側誘導レール５によって囲まれた遊技領域６が設けられている。前記枠体２には、遊技球払出口（図示せず）より払い出された遊技球を受ける遊技球供給皿（上側球受け皿とも称される）３６、前記遊技球供給皿３６の飽和時に遊技球を受けるための下側球受け皿３７、遊技状態を報知するランプ表示器３４、３５および音声や効果音を発して遊技状態を遊技者に報知するスピーカ８、遊技者による発射レバー９２の操作に応じて遊技球を遊技盤３の遊技領域６に向けて発射する発射装置（図示せず）等がそれぞれ組み付けられている。また、前記遊技球供給皿３６の右側上面には、この遊技球供給皿３６の遊技球を球抜きして前記下側球受け皿３７へ移すための球返却ボタン３３が設けられている。
【００２４】
図２に示すように、この実施例の遊技盤３における遊技領域６が設けられた遊技盤面６Ａには、その中心線上に上部から下部に向かって順に液晶表示器（ＴＦＴ−ＬＣＤモジュール）等からなる画像表示部５０を有する表示装置９、普通電動役物である始動入賞口１１、特別電動役物である大入賞口１５、アウト口１７が配設され、また前記表示装置９の両側には風車２２ａ，２２ｂ、その下方に普通図柄変動開始用左ゲート１９および普通図柄変動開始用右ゲート２１、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、この実施例の遊技盤面６Ａには遊技領域６を流下する遊技球を誘導する遊技釘（図示せず）が適宜設けられている。この実施例における弾球遊技機１の遊技領域とは、遊技球がさまざまな方向に流下等する領域であり、前記遊技領域は遊技盤面６Ａに設けられた遊技領域６と、後述する表示装置９が備える球転動面６５Ａ等である。なお、図中の符号３９Ｌは左サイド飾りランプ、３９Ｒは右サイド飾りランプである。
【００２５】
また、前記遊技盤３の背面（裏面）には、始動入賞口１１に入賞した遊技球を検出する特別図柄変動開始スイッチ（始動入賞口センサ）が設けられている。そして、前記特別図柄変動開始スイッチによって入賞球が検出されると、前記表示装置９における画像表示部５０の各表示領域で特別図柄が変動を開始し、所定時間変動表示後、予め設定された順で特別図柄が変動停止して、停止図柄の組合せが確定表示されるようになっている。そして、前記確定表示された停止図柄の組合せが、予め決められた特定の大当たり図柄組合せ、例えば、同一図柄の組合せからなる通称ぞろ目であると、大当たり状態（特別遊技状態）に移行する。大当たり状態になると、前記大入賞口１５の開閉板が開いて遊技領域６を流下してくる遊技球を受け止め、大入賞口１５内へ入賞可能にする。図中の符号５１はＬＥＤ等からなる特別図柄変動数記憶表示器であり、特別図柄変動中に前記始動入賞口１１に入賞した球の個数、すなわち特別図柄の変動を開始する回数を保留回数（この例では最高４回）として前記特別図柄変動数記憶表示器５１に表示し、記憶数の減少によって前記表示器５１の表示個数を減らすようになっている。
【００２６】
前記特別図柄変動開始スイッチの他に遊技盤３の背面に設けられているものとして、前記普通図柄変動開始用左ゲート１９および普通図柄変動開始用右ゲート２１を通過する遊技球を検出する普通図柄変動開始スイッチ等がある。この普通図柄変動開始スイッチで両ゲート１９，２１を通過する遊技球を検出することによって、前記画像表示部５０の上方左隅に設けた普通図柄表示部５０Ａでの図柄変動を開始させるようになっている。そして、前記普通図柄表示部５０Ａにおいて図柄変動した後に確定表示された図柄が予め設定されている特定の図柄であった場合には、小当たり（普通図柄当たり）となり、前記始動入賞口１１の可動片１１ａ，１１ｂの拡開開放を所定時間行うようになっている。図中の符号４７はＬＥＤ等からなる普通図柄変動数記憶表示器であり、前記普通図柄変動開始用左ゲート１９および普通図柄変動開始用右ゲート２１を遊技球が通過することによって発生する図柄変動開始の数を、現在変動中のものを除いて保留回数（この例では最高４回）として記憶し表示するようになっている。
【００２７】
なお、図２に示すワープ入賞口Ｗ１から前記始動入賞口１１に向けた矢印は、以下に詳述する遊技球の進路を表している。
【００２８】
前記表示装置９は、図３に示すように、ワープ入球口Ｗ１と、球転動面誘導路６２と、球転動面６５とを備えている。
【００２９】
ワープ入球口Ｗ１は、前記遊技領域６を流下する遊技球を受け入れ可能な開口部であり、該入球口Ｗ１は表示装置９の上方中央付近に設けられている。
【００３０】
球転動面誘導路６２は、これを通過する遊技球を略垂直に誘導する垂直誘導路６３と、該垂直誘導路６３の下部に設けられたワープ排出口Ｗ２を有している。
前記垂直誘導路６３の上端は、前記ワープ入球口Ｗ１に入球した遊技球を水平方向（図では左方向）に誘導する水平誘導路６１と接続されており、該誘導路６１を転動した遊技球は、その後垂直誘導路６３によって略垂直方向（図では下方）に誘導される。そして、この略垂直方向に誘導されて勢いのついた遊技球は前記ワープ排出口Ｗ２から後述する球転動面６５（後述の実施例では第一の球転動面６５Ａ）の縁部へ送り出される。
【００３１】
球転動面６５は、前記遊技盤面６Ａに対して略垂直方向に設けられており、前記ワープ入球口Ｗ１に入球してワープ排出口Ｗ２から送り出された遊技球を受け入れた後に遊技球を往復揺動等させるものである。この球転動面６５は遊技球１球が通過できる幅を有しており、前記球転動面６５にはその幅と同じ開口部である入球口６６が設けられている。この入球口６６は遊技球を所定の場所に誘導する球誘導路６７と通じている。前記入球口６６から入球し球誘導路６７によって誘導された遊技球は、前記誘導路６７と通じる球誘導路排出口６７Ａから排出されて再び遊技領域６を流下する。なお、前記球誘導路６７によって誘導されている遊技球は窓部６８により遊技者が視認可能となっている（後述の実施例参照。）。前記球誘導路排出口６７Ａから排出された遊技球は、前記遊技領域６に設けた遊技者に特典（ここでは特別遊技）を与える入賞口（実施例では始動入賞口１１）の直上に誘導される。
【００３２】
前記球転動面６５の幅は上述したものに限られず、その幅を遊技球が２球以上左右に並んで通過できるようなものとしてもよい。そして、この球転動面６５に遊技球が少なくとも１球入球し、該遊技球を所定の場所に誘導する球誘導路６７への入球口を設けるようにしてもよい。
【００３３】
また、前記球転動面６５は、これを転動する遊技球に勢いがある場合には、該遊技球の勢いによって前記入球口６６を飛び越えることができる飛び越し台７０を備えている。この飛び越し台７０は、これと隣接する入球口６６側とは反対側から該入球口６６に向けて高くなるように傾斜している。そこで、前記球転動面６５を転動する遊技球に勢いがある場合には、その遊技球が前記飛び越し台７０の傾斜に沿った進路で前記入球口６６側へ進むことにより、該遊技球が入球口６６を飛び越えることができる。
【００３４】
さらに、この球転動面６５の入球口６６側の先端縁部にはそり返し片７１が設けられている。このそり返し片７１は、前記飛び越し台７０の傾斜角度よりも大きな傾斜角度を有しており、飛び越し台７０の傾斜に沿った進路で前記入球口６６側へ進む遊技球の進路を前記飛び越し台７０の傾斜角度よりも上方へ変化させることができる。これにより、前記遊技球が入球口６６を飛び越えやすくなるという効果もある。
【００３５】
以下に図４ないし図６等を用い、実施例における前記球転動面６５の構成等をより詳細に説明する。この実施例における球転動面６５は、第一の球転動面６５Ａと、第二の球転動面６５Ｂとにより構成されている。
【００３６】
第一の球転動面６５Ａは、図２から理解されるように、前記画像表示部５０の下方近傍に設けられており、前記球転動面誘導路６２のワープ排出口Ｗ２から前記入球口６６に向けて湾曲した遊技球の転動面とされ、該球転動面６５Ａはその入球口６６側の先端縁部がワープ排出口Ｗ２側の先端縁部より高くなっている。
前記ワープ排出口Ｗ２から第一の球転動面６５Ａに隣接する入球口６６側とは反対側の縁部へ送り出され、かつ勢いがついている遊技球Ｐはその勢いにより、図６に示すように、前記球転動面６５Ａを前記入球口６６側へ向けて転動する。その後、前記遊技球は第一の球転動面６５Ａが備える飛び越し台７０の傾斜に沿って転動し、遊技球が該飛び越し台７０と前記球転動面６５Ａの先端縁部のそり返し片７１により入球口６６を飛び越える。本発明の弾球遊技機では、遊技球の動きを第一の球転動面６５Ａでの左右の転動と入球口６６を飛び越える縦方向への移動とを含む派手なものとすることができる。
【００３７】
一方、勢いのない遊技球は第一の球転動面６５Ａを前記飛び越し台７０に向けて転動するが、その後この遊技球は前記球転動面６５Ａの最も低くなった位置（底部）６５Ａ１から図６に示す遊技領域６または第三の球転動面６５Ｃに向けて転動する。なお、前記底部６５Ａ１は遊技球通路６５Ｄおよび第三の球転動面６５Ｃに向けて緩やかに傾斜している。前記第三の球転動面６５Ｃについては後に詳述する。
【００３８】
第二の球転動面６５Ｂは、前記第一の球転動面６５Ａと同様に画像表示部５０の下方近傍に設けられており、該第二の球転動面６５Ｂは上述した第一の球転動面６５Ａから前記入球口６６を飛び越した遊技球が着地するものである。この第二の球転動面６５Ｂについても、これと隣接する前記入球口６６側からその反対側に向けて湾曲した遊技球の転動面とされ、該球転動面６５Ｂはその入球口６６側の先端縁部と該入球口６６側とは反対側の先端縁部が球転動面６５Ｂの中央部より高くなっている。第二の球転動面６５Ｂに着地した遊技球は、該球転動面６５Ｂに隣接する入球口６６側とは反対側に向けて転動した後、前記入球口６６側に向けて転動する。そして、前記遊技球が第二の球転動面６５Ｂの中央部より高くなった前記入球口６６に向けて該球転動面６５Ｂを登りきった場合には、遊技球が入球口６６に入球する。
【００３９】
一方、前記第二の球転動面６５Ｂを登りきれなかった遊技球は、該球転動面６５Ｂの最も低くなった位置（底部）６５Ｂ１から図示する遊技領域６または第三の球転動面６５Ｃに向けて転動する。なお、前記底部６５Ｂ１は遊技球通路６５Ｅおよび第三の球転動面６５Ｃに向けて緩やかに傾斜している。
【００４０】
また、この実施例では、図４に示すように、前記第一の球転動面６５Ａの長さＬ１が前記第二の球転動面６５Ｂの長さＬ２より長くなっている。前記ワープ排出口Ｗ２から第一の球転動面６５Ａに送り出された遊技球等は、これらに勢いがある場合と勢いがない場合とでは該球転動面６５Ａを転動する遊技球が異なった動きをする。遊技球に勢いがある場合には、前述したように、遊技球が前記入球口６６を飛び越える派手な動きをする。一方、前記遊技領域６を流下する遊技球が遊技釘に衝突して跳ね返ることにより前記第一の球転動面６５Ａに飛び込んだ場合には遊技球に勢いがなく、該遊技球は湾曲した第一の球転動面６５Ａを失速するまで左右に往復揺動する。
【００４１】
さらに、この実施例では前記第一の球転動面６５Ａの入球口６６側の先端縁部が、前記第二の球転動面６５Ｂの入球口６６側の先端縁部より高さＨだけ高くなっている。そこで、第一の球転動面６５Ａを転動する遊技球に勢いがある場合には、前記入球口６６を飛び越えた遊技球が前記球転動面６５Ａより低い位置にある第二の球転動面６５Ｂに容易かつ確実に着地することができる。なお、この球転動面６５Ｂにも前記遊技釘により跳ね返った遊技球が飛び込むことがある。
【００４２】
図５に示すように、前記第一の球転動面６５Ａの直下には球誘導路６７が設けられている。この球誘導路６７はその一端が前記入球口６６と通じており、他端は球誘導路排出口６７Ａと通じている。そして、球誘導路６７は前記入球口６６に入球した遊技球を前記排出口６７Ａにスムーズに導くため、該球誘導路６７の底部が入球口６６から該排出口６７Ａに向けて傾斜した球誘導路側壁６７Ｂにより構成されている。
【００４３】
前記球誘導路６７の側面部６７Ｃであって弾球遊技機１の前面側には、複数の窓部６８が設けられている。この実施例における窓部６８は、前記側面部６７Ｃと球誘導路６７とを貫通する３つの穴で構成されている。そこで、球誘導路６７によって前記球誘導路排出口６７Ａへ誘導されている遊技球が前記窓部６８によって遊技者に視認可能となっている。なお、前記窓部６８を構成する貫通穴の穴径は、遊技者が前記誘導されている遊技球を確認することができる適宜の大きさとすればよい。
【００４４】
球誘導路６７により前記球誘導路排出口６７Ａに誘導された遊技球は、図６に示すように、該排出口６７Ａから再び遊技領域６に排出され、排出された遊技球は前記遊技領域６を流下する。この遊技領域６には前記始動入賞口１１が設けられており、該始動入賞口１１は球誘導路排出口６７Ａの直下に位置している。この球誘導路排出口６７Ａは、その開口部が遊技球の直径よりもやや大きく形成されている。そこで、前記排出口６７Ａから排出された遊技球は、これに外部から力が加わらない限り、前記球誘導路６７により前記入賞口１１の直上に誘導される。
【００４５】
加えて、実施例の弾球遊技機１においては、前記画像表示部５０の下方近傍であって第一の球転動面６５Ａと第二の転動面６５Ｂの下方に第三の球転動面６５Ｃが設けらている。第三の球転動面６５Ｃは、その両端が前記第一の球転動面６５Ａの底部６５Ａ１および前記第二の球転動面６５Ｂの底部６５Ｂ１とそれぞれ連通するように設けられている。この球転動面６５Ｃは湾曲した遊技球の転動面とされており、前記底部６５Ａ１，６５Ｂ１から受け入れた遊技球を左右に往復揺動させる。したがって、本発明の弾球遊技機は遊技者が前述した第一および第二の球転動面６５Ａ，６５Ｂでの遊技球の動きを楽しんだ後に、さらに遊技者が第三の球転動面６５Ｃでの遊技球の動きを楽しむことができる。また、前記球転動面６５Ｃは前記遊技釘により跳ね返って球転動面６５Ｃに飛び込んだ遊技球をも往復揺動させる。そこで、遊技者は前記飛び込んだ遊技球が往復揺動する動きをも楽しむことができる。
【００４６】
第三の球転動面６５Ｃは遊技領域６に向けて緩やかに傾斜した底部６５Ｃ１を備えており、前記球転動面６５Ｃで往復揺動を繰り返した後に失速した遊技球は前記底部６５Ｃ１によって前記遊技領域６に誘導される。底部６５Ｃ１は、球誘導路排出口６７Ａの下方に設けられている。前述したように、前記球誘導路６７により誘導された遊技球は前記排出口６７Ａから排出されて遊技領域６に誘導され、該排出口６７の下方に設けた第三の球転動面６５Ｃの底部６５Ｃ１は球誘導路６７の一部を構成している。
【００４７】
本発明の弾球遊技機においては前記底部６５Ｃ１も前記始動入賞口１１の直上に設けられており、第三の球転動面６５Ｃで失速した遊技球も始動入賞口１１の直上に誘導される場合がある。そこで、遊技者は第一ないし第三の球転動面での遊技球の動きを楽しんだ後は、遊技球が始動入賞口１１へ入賞することを期待しながら遊技を楽しむこともできる。
【００４８】
なお、本発明は、上述した実施例に限定されるものではなく、発明の趣旨を逸脱しない範囲において構成の一部を適宜に変更して実施することができる。上記実施例では、第一の球転動面６５Ａが備える飛び越し台７０が前記入球口６６に向けて高くなるように傾斜しているが、これに限定されない。例えば、前記飛び越し台７０を入球口６６に向けて低くなるように傾斜させ、この傾斜で勢いのついた遊技球が前記入球口６６を飛び越えることができるようにしてもよい。
【００４９】
また、上記実施例では、球誘導路６７の側面部６７Ｃに遊技者が前記球誘導路６７によって誘導される遊技球を視認可能な窓部６８が設けられている。実施例では前記窓部６８が複数の貫通穴により構成されているが、これに限定されず、例えば前記側面部６７Ｃを透明な樹脂を用いて構成し、遊技者がこの樹脂を介して遊技球を視認可能となるようにしてもよい。
【００５０】
さらに、上記実施例では、画像表示部５０の下方近傍に設けた第三の球転動面６５Ｃが第一の球転動面６５Ａおよび第二の球転動面６５Ｂと連通するように設けられているがこれに限定されない。例えば、前記第三の球転動面６５Ｃを前記第一の球転動面６５Ａのみ、または前記第二の球転動面６５Ｂのみとそれぞれ連通するように設けてもよい。
【００５１】
【発明の効果】
以上図示し説明したように、請求項１の発明に係る弾球遊技機においては、遊技盤面に対して略垂直方向に設けられ遊技領域を流下する遊技球を受け入れた後に遊技球を往復揺動させる球転動面と、前記球転動面に遊技球を所定の場所に誘導する球誘導路への入球口を備え、前記球転動面を転動する遊技球がその勢いによって前記入球口を飛び越えることができる飛び越し台が設けられている。そこで、遊技球が前記入球口を飛び越えるという今までにない派手な動きをさせるようにして、遊技者が遊技球の動きに注目し、遊技の趣向性を高める弾球遊技機を提供することができる。
【００５２】
請求項２の発明においては、前記球転動面の入球口側の先端縁部に遊技球の進路を上方へ変化させるそり返し片を設けており、前記入球口を飛び越える遊技球の進路をより上方へ変化させ、遊技球の動きをより派手なものとすることができる。
【００５３】
請求項３の発明においては、前記球転動面が第一の球転動面と、該第一の球転動面から前記入球口を飛び越した遊技球が着地する第二の球転動面とからなり、遊技者が二つの球転動面での遊技球の動きを楽しむことができ、遊技の趣向性をより高めることができる。
【００５４】
請求項４の発明においては、前記第一の球転動面の長さが前記第二の球転動面の長さより長くなっており、前記第一の球転動面での遊技球の動きを遊技者に強調することができる。
【００５５】
請求項５の発明においては、前記第一の球転動面の入球口側の先端縁部が、前記第二の球転動面の入球口側の先端縁部より高くなっており、第一の球転動面の入球口側の先端縁部を離れた遊技球が第二の球転動面に着地する際の容易性、確実性を増加させることができる。
【００５６】
請求項６の発明においては、前記第一の球転動面の入球口側とは反対側の縁部へ遊技球を送り出す球転動面誘導路が設けられ、前記球転動面誘導路は遊技球を略垂直に誘導する垂直誘導路を有している。そこで、前記垂直誘導路により勢いのついた遊技球を第一の球転動面の入球口側とは反対側の先端縁部へ送り出すことができる。
【００５７】
請求項７の発明においては、前記球誘導路により誘導された遊技球が再び前記遊技盤面上の遊技領域を流下し、遊技者は前記球転動面における遊技球の動きを楽しんだ後は、遊技者が再び遊技盤面上の遊技領域を流下する遊技球の動きを楽しむことができる。
【００５８】
請求項８の発明においては、前記遊技領域に、遊技球が入賞することにより遊技者に特典を与える入賞口を設け、前記球誘導路により遊技球が前記入賞口の直上に誘導される。そこで、遊技球が入賞口に入賞し易くなり遊技者が特典を得やすいようにすることができる。
【００５９】
請求項９の発明においては、前記第一の球転動面と第二の球転動面の下方に、少なくとも遊技球を往復揺動させる第三の球転動面が設けられており、遊技者が前記第三の転動面における遊技球の動きにも注目し、遊技の趣向性をさらに高めることができる。
【００６０】
請求項１０の発明においては、前記第三の球転動面が、少なくとも前記第一の球転動面または前記第二の球転動面と連通するように設けられている。そこで、遊技者が第一または第二の球転動面での遊技球の動きを楽しんだ後、遊技球が両球転動面から第三の球転動面に受け入れられた場合には、遊技者が前記第三の球転動面における遊技球の動きを楽しむことができるような遊技球の動きを演出することができる。
【００６１】
請求項１１の発明においては、前記第三の球転動面が前記球誘導路の一部を構成しており、第三の球転動面を往復揺動した遊技球も再び遊技領域に誘導され、遊技者は遊技領域を流下する遊技球の動きに注目しながら遊技を楽しむことができる。
【００６２】
請求項１２の発明においては、前記遊技領域に図柄を変動表示する画像表示部が設けられ、前記第一ないし第三の球転動面が前記画像表示部の下方近傍に設けられている。そこで、遊技者は画像表示部で変動表示する図柄の動きに注目しながら第一ないし第三の転動面での遊技球の動きも楽しむことができ、より遊技の趣向性を高めることができる。
【００６３】
請求項１３の発明においては、前記球誘導路によって誘導されている遊技球が視認可能であり、遊技者は球誘導路によって誘導されている遊技球の動きも楽しむことができる。
【００６４】
請求項１４の発明においては、前記球誘導路が前記第一の球転動面の直下に設けられており、第一の球転動面直下の空間を有効に利用して球誘導路を確保することができる。
【図面の簡単な説明】
【図１】本発明の一実施例に係る弾球遊技機全体の正面図である。
【図２】同遊技機の遊技盤の正面図である。
【図３】同遊技機の表示装置の部分拡大斜視図である。
【図４】同遊技機の球転動面の斜視図である。
【図５】（ａ）は同球転動面形成部の表側正面図、（ｂ）はその裏側正面図である。
【図６】同球転動面における遊技球の転動の様子を示す図である。
【符号の説明】
１　弾球遊技機
３　遊技盤
６　遊技領域
６Ａ　遊技盤面
１１　始動入賞口
５０　画像表示部
６２　球転動面誘導路
６３　垂直誘導路
６５　球転動面
６５Ａ　第一の球転動面
６５Ｂ　第二の球転動面
６５Ｃ　第三の球転動面
６６　入球口
６７　球誘導路
６８　窓部
７０　飛び越し台
７１　そり返し片
Ｌ１　第一の球転動面の長さ
Ｌ２　第二の球転動面の長さ
Ｐ　遊技球
【図１】
2004105624.tif 000003
【図２】
2004105624.tif 000004
【図３】
2004105624.tif 000005
【図４】
2004105624.tif 000006
【図５】
2004105624.tif 000007
【図６】
2004105624.tif 000008